(57)【要約】【課題】プラズマディスプレイパネルを駆動する駆動回路に起因する障害を抑制することができるプラズマディスプレイ装置を提供すること。【解決手段】プラズマディスプレイパネルの背面に取り付けられるシャーシ導体と、シャーシ導体の背面側の左右端側にそれぞれ取付けられ、プラズマディスプレイパネルを駆動する複数の駆動回路基板と、シャーシ導体の背面側に取付けられ、入力される映像信号を処理する信号処理回路基板と、を備え、シャーシ導体は、開口部を有し、信号処理回路基板は、開口部に隣接する駆動電流の流れ難い領域に取付けられている。【選択図】図２
2011227167.tif 000002
【特許請求の範囲】
【請求項１】
プラズマディスプレイパネルと、
前記プラズマディスプレイパネルの背面に取り付けられるシャーシ導体と、
前記シャーシ導体の背面側の左右端側にそれぞれ取付けられ、前記プラズマディスプレイパネルを駆動する複数の駆動回路基板と、
前記シャーシ導体の背面側に取付けられ、入力される映像信号を処理する信号処理回路基板と、を備え、
前記シャーシ導体は、左右端側にそれぞれ位置して前記駆動回路基板がそれぞれ取付けられる回路基板搭載部と、前記回路基板搭載部間に設けられた開口部と、前記開口部を分断するように前記回路基板搭載部間をつなぐ導体接続部と、を有し、
前記回路基板搭載部は、前記駆動回路基板を取付けている固定点と前記導体接続部の端部とを結んで形成される領域である第１領域と、前記第１領域以外の領域である第２領域と、を含み、
前記信号処理回路基板は、前記第２領域に取付けられている、
プラズマディスプレイ装置。
【請求項２】
前記シャーシ導体は複数に分割された部材を結合して形成されている、
請求項１に記載のプラズマディスプレイ装置
【請求項３】
前記信号処理回路基板は、チューナー回路を搭載している、
請求項１又は請求項２に記載のプラズマディスプレイ装置。
【発明の詳細な説明】
【技術分野】
【０００１】
本発明は、プラズマディスプレイ装置に関する。
【背景技術】
【０００２】
プラズマディスプレイ（Ｐｌａｓｍａ  ｄｉｓｐｌａｙ）装置やＣＲＴディスプレイ（Ｃａｔｈｏｄｅ−Ｒａｙ  Ｔｕｂｅ  ｄｉｓｐｌａｙ）装置などの自発光型ディスプレイ装置は、視野角の依存性が無く自然な映像が得られることから広く使用されている。特にプラズマディスプレイ装置は、薄型であり、かつ大画面を構成するのに最適であることから、急速に普及が進んでいる。
【０００３】
プラズマディスプレイ装置は、主としてプラズマディスプレイパネルを有するプラズマディスプレイモジュール部とそのモジュールを囲むシールド筐体によって構成されている。
【０００４】
このプラズマディスプレイパネルは、ガス放電により発生した紫外線によって各放電セルに設けられた蛍光体を励起して可視光を発生させて表示光とするディスプレイである。プラズマディスプレイパネルは、複数の電極（表示電極対およびアドレス電極）が格子状に配列され、各電極の交差部となる放電セルを選択的に発光させることにより画像を形成する。
【０００５】
次に、プラズマディスプレイ装置における駆動電流の流れについて図７を参照しながら説明する。図７は従来構成のプラズマディスプレイモジュールとパネル駆動電流の流れを示す図である。
【０００６】
図７の構成では、プラズマディスプレイモジュール２００は、プラズマディスプレイパネル２０１とシャーシ導体２０２とを備えている。駆動回路基板２０３ａから駆動される駆動電流は、フレキシブルケーブル２０４ａ、プラズマディスプレイパネル２０１の電極２０５、フレキシブルケーブル２０４ｂ、駆動回路基板２０３ｂ、およびシャーシ導体２０２を、矢印で示すように流れる。この駆動電流により、不要輻射ノイズが発生する。
【０００７】
例えば、特許文献１では、ラズマディスプレイパネルを支持するシャーシ導体に切り欠けを設け、シャーシ導体内の駆動電流の流れる領域を限定することで不要輻射ノイズを低減することが提案されている。
【先行技術文献】
【特許文献】
【０００８】
【特許文献１】特開２００８−２５６９９４号公報
【発明の概要】
【発明が解決しようとする課題】
【０００９】
一方、チューナー回路等の映像・音声の信号処理回路は、シャーシ導体１０２の背面に取り付けられる。このため、シャーシ導体１０２を流れる駆動電流の影響を受けやすい。具体的には、信号処理回路内の信号にノイズ成分として駆動電流が重畳することで表示映像が乱れたりする可能性がある。
【００１０】
本発明は上記課題に鑑みてなされたものであり、プラズマディスプレイパネルを駆動する駆動回路に起因する障害を抑制することができるプラズマディスプレイ装置を提供することを目的とする。
【課題を解決するための手段】
【００１１】
上記目的を達成するために、本発明のプラズマディスプレイ装置は、プラズマディスプレイパネルと、前記プラズマディスプレイパネルの背面に取り付けられるシャーシ導体と、前記シャーシ導体の背面側の左右端側にそれぞれ取付けられ、前記プラズマディスプレイパネルを駆動する複数の駆動回路基板と、前記シャーシ導体の背面側に取付けられ、入力される映像信号を処理する信号処理回路基板と、を備え、前記シャーシ導体は、左右端側にそれぞれ位置して前記駆動回路基板がそれぞれ取付けられる回路基板搭載部と、前記回路基板搭載部間に設けられた開口部と、前記開口部を分断するように前記回路基板搭載部間をつなぐ導体接続部と、を有し、前記回路基板搭載部は、前記駆動回路基板を取付けている固定点と前記導体接続部の端部とを結んで形成される領域である第１領域と、前記第１領域以外の領域である第２領域と、を含み、前記信号処理回路基板は、前記第２領域に取付けられている、構成を採る。
【発明の効果】
【００１２】
本発明によれば、プラズマディスプレイパネルを駆動する駆動回路に起因する障害を抑制することができるプラズマディスプレイ装置を提供することができる。
【図面の簡単な説明】
【００１３】
【図１】（ａ）本発明の実施の形態に係るプラズマディスプレイ装置の構成を説明するための正面図、（ｂ）その横断面概略図
【図２】プラズマディスプレイモジュールの背面図
【図３】（ａ）プラズマディスプレイパネルの電極構造を説明するための斜視図、（ｂ）その断面図
【図４】シャーシ導体の構造を説明するための説明図
【図５】シャーシ導体の別の構造例を説明するための説明図
【図６】実施の形態の変形例を説明するプラズマディスプレイモジュールの背面図
【図７】従来例を説示す図
【発明を実施するための形態】
【００１４】
以下、本発明の実施形態に係るプラズマディスプレイ装置について、図面を参照して説明する。
【００１５】
（実施の形態）
図１は、実施の形態に係るプラズマディスプレイ装置を示しており、図１（ａ）は本発明の実施の形態に係るプラズマディスプレイ装置の構成を説明するための正面図であり、図１（ｂ）は図１（ａ）の線分Ａ−Ａ‘における横断面概略図である。図２は実施の形態１に係るプラズマディスプレイ装置におけるプラズマディスプレイモジュール２を背面側から見た背面図である。図３（ａ）は実施の形態１に係るプラズマディスプレイ装置におけるプラズマディスプレイパネルの電極構造を説明するための斜視図であり、図３（ｂ）はその断面図である。
【００１６】
なお、本実施の形態において、プラズマディスプレイ装置１の表示面側（図１のｘ軸正の方向）を前面、その反対側（図１のｘ軸負の方向）を背面または後面、図１のｙ軸方向を左右方向と呼ぶ。図１のｚ軸正の方向を上方向または鉛直方向と呼ぶ。
【００１７】
図１および２において、本発明の実施の形態１に係るプラズマディスプレイ装置１におけるプラズマディスプレイモジュール２は、プラズマディスプレイパネル１０の非表示面側に、プラズマディスプレイパネル１０の保持板であるシャーシ導体１１が熱伝導シート（図示せず）を介して配置されている。
【００１８】
プラズマディスプレイパネル１０に映像を表示するための駆動回路基板である、維持電極用駆動回路基板１２ａ、走査電極用駆動回路基板１２ｂ、アドレス電極用駆動回路基板１２ｃは、シャーシ導体１１の背面側に配置されている。走査電極用駆動回路基板１２ａおよび走査・維持電極用駆動回路基板１２ｂから発生した駆動信号は、フレキシブルケーブル１３ａおよび１３ｂによってプラズマディスプレイパネル１０に伝えられる。また、アドレス電極用駆動回路基板１２ｃで発生した駆動信号は、フレキシブルケーブル１３ｃによってプラズマディスプレイパネル１０に伝えられる構成となっている。
【００１９】
プラズマディスプレイモジュール２の外側には、バックカバー１６、ガラス押さえ金具１７、前面ガラス１８、前面キャビネット１９、導電性前面フィルタ２０、導電性ガスケット２１によってシールド筐体が構成される。
【００２０】
プラズマディスプレイパネル１０は、図３（ａ）（ｂ）に示すように、前面ガラス板１０１と背面ガラス板１０２とが貼り合わされる構造となっている。前面ガラス板１０１には誘電体層１０３が形成されており、走査電極１４ａと維持電極１４ｂとからなる走査・維持電極１４が誘電体層１０３に保護される形で多数形成される。背面ガラス板１０２にも誘電体層１０３が形成されており、アドレス電極１５が保護される形で多数形成される。
【００２１】
走査・維持電極１４とアドレス電極１５との交差位置で、走査・維持電極１４とアドレス電極１５とに挟まれた部分が放電セル１０４である。放電セル１０４は、ヘリウム（Ｈｅ）、ネオン（Ｎｅ）、キセノン（Ｘｅ）等の希ガスを含む放電ガスが封入されている。放電セル１０４は、隔壁１０５で区画されて形成され、各放電セル内は、赤、青、緑の蛍光体１０６ａ〜１０６ｃが塗り分けられている。
【００２２】
シャーシ導体１１は、熱伝導率および電気伝導率の高いアルミニウム、銅等の金属板で構成される。シャーシ導体１１は、１．５ｍｍ〜３ｍｍ程度の厚みを有する板状の部材である。シャーシ導体１１は、一方の面（前面）には熱伝導シートを介してプラズマディスプレイパネル１０が取り付けられ、他方の面（背面）には、各駆動回路基板等がシャーシ導体１１と平行になるように取り付けられて各基板のグラウンドと接続されている。このため、シャーシ導体１１は、プラズマディスプレイパネル１０や各駆動回路基板等を保持し、これらの強度を保つ強度部材として機能する。また、シャーシ導体１１は、各駆動回路基板等の電気的なグラウンドとしても機能する。すなわち、維持電極用駆動回路基板１２ａ、走査電極用駆動回路基板１２ｂ、アドレス電極用駆動回路基板１２ｃ、信号処理回路基板１２ｄなどのグラウンドは、固定点２２にて、それぞれフレームグラウンドであるシャーシ導体１１に導通されている。固定点２２は例えば金属ビスで締め付けて構成される。
【００２３】
信号処理回路基板１２ｄは、チューナー回路や映像・音声信号処理回路等を有している。信号処理回路基板１２ｄは、放送波等からの映像信号を入力し、プラズマディスプレイ１０に映像を表示するための信号を作り出す各種の信号処理を行う。信号処理回路基板１２ｄは、そのシグナルグラウンドがシャーシ導体１１に接地されている。
【００２４】
前面ガラス１８は、プラズマディスプレイパネル１０の前面側に配置され、その裏面（表示面と反対側）に導電性前面フィルタ２０が張り付けられている。
【００２５】
ガラス押さえ金具１７は、前面キャビネット１９との間で前面ガラス１８を挟むことで前面ガラス１８を固定する。また、ガラス押さえ金具１７は、前面ガラス１８に貼り付けられた導電性前面フィルタ２０の金属端部２０３と導電性の接触部材である導電性ガスケット２１を介して電気的に接触するように配置される。さらには、ガラス押さえ金具１７は、導電性ガスケット２１を介してバックカバー１６とも接触している。
【００２６】
バックカバー１６は、導電性の金属板をプレス成形することにより形成される。バックカバー１６は、プラズマディスプレイパネル１０の背面と各駆動回路基板等を覆うようにガラス押さえ金具１７に固定されており、プラズマディスプレイパネル１０、各駆動回路基板等から放射される電磁波を遮蔽する役割を担っている。
【００２７】
以下に本発明の特徴となるシャーシ導体１１の形状と信号回路基板との配置構造について図２および図４を参照しつつ説明する。図４は、シャーシ導体１１のみを示す構造図である。
【００２８】
図４（ａ）に示すように、シャーシ導体１１は、左右端側にそれぞれ位置して維持電極用駆動回路基板１２ａ、走査電極用駆動回路基板１２ｂをそれぞれ取付けられる回路基板搭載部Ａと、左右の回路基板搭載部Ａの間に設けられた開口部Ｃと、開口部Ｃを分断するように回路基板搭載部Ａの間をつなぐ導体接続部Ｂと、を有している。また、シャーシ導体１１は、下端部において、アドレス電極用駆動回路基板１２ｃを取付ける回路基板搭載部Ｄを有している。回路基板搭載部Ｄは、シャーシ導体１１の上端にあってもよい。この場合、アドレス電極用駆動回路基板１２ｃはシャーシ導体１１の上端側に取付けられる。シャーシ導体１１は、開口部Ｃを設けることで、シャーシ導体１１の材料費を減らすことができ、低コスト化を図ることができる。
【００２９】
導体接続部Ｂは、シャーシ導体１１の一部であり、維持電極用駆動回路基板１２ａまたは走査電極用駆動回路基板１２ｂから発生された駆動電流のリターン電流が主として流れる経路を形成している。導体接続部Ｂは、矩形板状のシャーシ導体１１から開口部Ｃをくり抜くことで形成することができる。
【００３０】
図４（ｂ）は、信号処理回路基板１２ｄを取付ける領域を説明するための図である。図４（ｂ）において、Ｐは、維持電極用駆動回路基板１２ａおよび走査電極用駆動回路基板１２ｂのシャーシ導体１１への固定点を示している。固定点Ｐにおいて、維持電極用駆動回路基板１２ａおよび走査電極用駆動回路基板１２ｂのグラウンドは、シャーシ導体１１と金属ビスなどで電気的に接続されている。固定点Ｐは、少なくとも基板の４つのコーナーに設けることが一般的である、回路基板搭載部Ａは、固定点Ｐと導体接続部Ｂの端部とを結んで形成される領域である領域Ａ１（第１領域）と、領域Ａ１以外の領域である領域Ａ２（第２領域）と、を有している。
【００３１】
ここで、シャーシ導体１１内の駆動電流（リターン電流）の経路について説明する。例えば走査電極用駆動回路基板１２ｂの固定点Ｐからシャーシ導体１１に流れ込んだ駆動電流は、導体接続部Ｂに対して最短距離で流れるため、主として領域Ａ１内を流れて導体接続部Ｂに到達する。導体接続部Ｂを流れた駆動電流は、同様にして主として領域Ａ１内を流れて維持電極用駆動回路基板１２ａの固定点Ｐに到達する。この駆動電流の流れる様子を一例として図４（ｂ）中に矢印で示している。つまり、シャーシ導体１１において、領域Ａ１は駆動電流の流れやすい領域となる。一方、領域Ａ２は、駆動電流の流れ難い領域となる。言い換えると、領域Ａ１は駆動電流の密度が高い領域であり、領域Ａ２は、駆動電流の密度が低い領域となる。すなわち、開口部Ｃの隣接領域は、駆動電流の流れ難い領域となる。
【００３２】
信号処理回路基板１２ｄは、シャーシ導体１１の内、駆動電流の流れ難い領域である領域Ａ２に取付けられている。従って、駆動電流による信号回路内へのノイズ誘起を軽減ことができる。結果として、プラズマディスプレイパネル１０を駆動する駆動回路に起因する障害を抑制することができる。
【００３３】
なお、本実施の形態において、導体接続部Ｂは、シャーシ導体１１の鉛直方向略中央に位置する構成としたが、これに限られない。例えば上下端部側にずらして設けても良い。一方にずらして設けることで、比較的広い領域Ａ２を形成することができ、信号処理回路基板１２ｄを取付ける自由度が上がる。
【００３４】
また、本実施の形態において、開口部は、矩形板状のシャーシ導体１１の一部をくり抜くことで形成したが、これに限られない。例えば図５に示すように、複数の矩形部材を組合せて形成してもよい。このような構成によれば、組立てが容易となる。
【００３５】
また、本実施の形態において、維持電極用駆動回路基板１２ａおよび走査電極用駆動回路基板１２ｂの外形形状を長方形形状としたが、これに限られない。例えば、図６に示すように、走査電極用駆動回路基板１２ｂにおける信号処理回路基板１２ｅの近くに位置する固定点を、より端部側へ設けるような形状とすることで、比較的広い領域Ａ２を形成することができる。結果として、信号処理回路基板１２ｄを取付ける自由度が上がる。
【００３６】
以上の実施の形態において用いた開口部、各基板の形状・配置や、基板固定点の配置および手段は、単に一例を挙げたに過ぎず、プラズマディスプレイ装置のインチサイズ等の仕様に合わせて、適宜最適な仕様に設定することが可能である。また、本実施の形態では示していないが、信号回路基板をシールドする金属ケースをさらに設置することが好ましい。
【００３７】
上述の実施の形態は本発明の一例である。本発明は、以上の実施の形態に限定されることなく、種々の変更が可能であり、それらも本発明の範囲内に包含されるものであることは言うまでもない。
【産業上の利用可能性】
【００３８】
本発明は、プラズマディスプレイ装置の映像信号障害の抑制に好適である。
【符号の説明】
【００３９】
１  プラズマディスプレイ装置
２  プラズマディスプレイモジュール
１０  プラズマディスプレイパネル
１１  シャーシ導体
１２ａ  維持電極用駆動回路基板
１２ｂ  走査電極用駆動回路基板
１２ｃ  アドレス電極用駆動回路基板
１３ａ、１３ｂ、１３ｃ  フレキシブルケーブル
１４  走査・維持電極
１５  アドレス電極
１６  バックカバー
１７  ガラス押さえ金具
１８  前面ガラス
１９  前面キャビネット
２０  導電性前面フィルタ
２１  導電性ガスケット
１０１  前面ガラス板
１０２  背面ガラス板
１０３  誘電体
１０４  放電セル
１０５  隔壁
１０６ａ、１０６ｂ、１０６ｃ  蛍光体
Ａ  回路基板搭載部
Ｂ  導体接続部
Ｃ  開口部
Ｐ  固定部
【図７】
2011227167.tif 000003
【図１】
2011227167.tif 000004
【図２】
2011227167.tif 000005
【図３】
2011227167.tif 000006
【図４】
2011227167.tif 000007
【図５】
2011227167.tif 000008
【図６】
2011227167.tif 000009